(57)【要約】【課題】  救護が必要な競技者の情報や位置を迅速かつ正確に把握することができて当該競技者のもとへ直ちに医療スタッフを派遣する等、速やかな救護活動が実現できる救護支援システムおよび救護支援プログラムを提供する。【解決手段】  ゼッケンを装着した競技者の救護を支援する救護支援システム１であって、通報者の携帯端末２から競技者のゼッケン番号および携帯端末２の位置情報を含む通報情報を受信する通報情報受信部９６と、ゼッケン番号に対応する競技者情報を取得する競技者情報取得部９８と、救護情報を本部端末４へ送信する救護情報送信部１００とを有する救護支援サーバ３と、救護支援サーバ３から救護情報を受信する救護情報受信部１０１と、救護情報に基づいて競技者情報および競技者周辺の地図を表示手段５に表示する救護情報表示部１０２とを有する本部端末４とからなる。【選択図】  図２
2014018490.tif 000002
【特許請求の範囲】
【請求項１】
ゼッケンを装着した競技者の救護を支援する救護支援システムであって、
通報者の携帯端末から送信された救護が必要な競技者のゼッケン番号および前記携帯端末の位置情報を含む通報情報を受信する通報情報受信部と、前記通報情報を受信した場合に前記ゼッケン番号に対応付けて前記競技者を特定する競技者情報を記憶している競技者情報記憶部を参照し、前記ゼッケン番号に対応する前記競技者情報を取得する競技者情報取得部と、前記競技者情報および前記位置情報を含む救護情報を本部端末へ送信する救護情報送信部とを有する救護支援サーバと、
前記救護支援サーバから前記救護情報を受信する救護情報受信部と、前記救護情報受信部が受信した前記救護情報に基づいて前記競技者情報および前記競技者周辺の地図を表示手段に表示する救護情報表示部とを有する本部端末と
からなる救護支援システム。
【請求項２】
前記通報情報には前記携帯端末の端末ＩＤが含まれているとともに、前記競技者情報には前記競技者が参加している競技会名が含まれており、
前記競技者情報取得部は、前記端末ＩＤに対応付けて前記通報者が登録されている競技会名を含む通報者情報を記憶している通報者情報記憶部を参照することにより、前記通報者が登録されている前記競技会を特定し、前記競技会および前記ゼッケン番号に基づいて前記競技者情報を取得する、請求項１に記載の救護支援システム。
【請求項３】
請求項１または請求項２のいずれかに記載の救護支援システムにおける前記救護支援サーバとしてコンピュータを機能させる救護支援プログラム。
【発明の詳細な説明】
【技術分野】
【０００１】
本発明は、マラソン選手やクロスカントリーの競技者等のように、ゼッケンを装着した競技者の救護を支援する救護支援システムおよび救護支援プログラムに関するものである。
【背景技術】
【０００２】
従来、マラソン大会等のように、広域な範囲で競技を行う競技会においては、選手が走行中に怪我をしたり体調不良になった場合、ボランティア等の現場スタッフが当該競技会の運営本部へ連絡し、競技者の名前や現在地等を口頭で伝えて救命士や看護師などの医療スタッフを要請している。
【０００３】
また、特開２００３−１５０７１６号公報には、スポーツイベントの参加選手に関する健康管理等を支援するためのシステムであって、大会本部側が常時、全選手の心拍および血圧を監視し、異常が見られた選手の情報を現場の全ての監視員に伝えることにより、当該監視員らに当該選手を捜索させるスポーツ情報監視システムが提案されている（特許文献１）。
【先行技術文献】
【特許文献】
【０００４】
【特許文献１】特開特開２００３−１５０７１６号公報
【発明の概要】
【発明が解決しようとする課題】
【０００５】
しかしながら、従来の方法では、競技者が意識朦朧となっていたり、会話もできない状態になっている場合、名前や容態等を聞き出すことができないため、運営本部側でも競技者を直ちに特定することができず、対処が遅れたり、家族等への連絡が遅滞するという問題がある。また、クロスカントリーやトレイルランニングのように周辺に建物がない山野等をフィールドとする場合、現場スタッフが救護を必要とする競技者の場所を正確に運営本部へ伝えることができず、医療スタッフの到着が遅れてしまうという問題もある。さらに現場スタッフも動揺していたり、初期対処のために余裕がなくなることもあり状況や場所を正確に伝えることが困難なケースも多い。
【０００６】
また、特許文献１に記載された発明は、大会本部側から現場の監視員へ異常が見られる選手を伝えて、当該選手が倒れるのを未然に防止するためのものであり、監視員から大会本部側に対し、倒れた選手に関する情報を伝える構成については一切開示されていない。また、特許文献１では、全ての選手に対し、心拍センサ、血圧センサおよび発信機等からなる腕時計型の個人情報取得装置を装着させる必要があるため、莫大なコストがかかり大会運営コストとのバランス上、実用性を欠いている。
【０００７】
本発明は、このような問題点を解決するためになされたものであって、救護が必要な競技者の情報や位置を迅速かつ正確に把握することができて当該競技者のもとへ直ちに医療スタッフを派遣する等、速やかな救護活動が実現できる救護支援システムおよび救護支援プログラムを提供することを目的としている。
【課題を解決するための手段】
【０００８】
本発明に係る救護支援システムは、ゼッケンを装着した競技者の救護を支援する救護支援システムであって、通報者の携帯端末から送信された救護が必要な競技者のゼッケン番号および前記携帯端末の位置情報を含む通報情報を受信する通報情報受信部と、前記通報情報を受信した場合に前記ゼッケン番号に対応付けて前記競技者を特定する競技者情報を記憶している競技者情報記憶部を参照し、前記ゼッケン番号に対応する前記競技者情報を取得する競技者情報取得部と、前記競技者情報および前記位置情報を含む救護情報を本部端末へ送信する救護情報送信部とを有する救護支援サーバと、前記救護支援サーバから前記救護情報を受信する救護情報受信部と、前記救護情報受信部が受信した前記救護情報に基づいて前記競技者情報および前記競技者周辺の地図を表示手段に表示する救護情報表示部とを有する本部端末とからなる。
【０００９】
また、本発明の一態様として、前記通報情報には前記携帯端末の端末ＩＤが含まれているとともに、前記競技者情報には前記競技者が参加している競技会名が含まれており、前記競技者情報取得部は、前記端末ＩＤに対応付けて前記通報者が登録されている競技会名を含む通報者情報を記憶している通報者情報記憶部を参照することにより、前記通報者が登録されている前記競技会を特定し、前記競技会および前記ゼッケン番号に基づいて前記競技者情報を取得するようにしてもよい。
【００１０】
また、本発明に係る救護支援プログラムは、請求項１または請求項２のいずれかに記載の救護支援システムにおける前記救護支援サーバとしてコンピュータを機能させる。
【発明の効果】
【００１１】
本発明によれば、救護が必要な競技者の情報や位置を迅速かつ正確に把握することができて当該競技者のもとへ直ちに医療スタッフを派遣する等、迅速な救護活動を実現することができる。
【図面の簡単な説明】
【００１２】
【図１】本発明に係る救護支援システムの全体構成を示す図である。
【図２】本実施形態の救護支援システムおよび救護支援プログラムを示すブロック図である。
【図３】本実施形態の通報者情報を示すサンプルデータである。
【図４】本実施形態の競技者情報を示すサンプルデータである。
【図５】本実施形態の運営者情報を示すサンプルデータである。
【図６】本実施形態において、本部端末の表示入力手段に表示される救護情報のイメージ図である。
【図７】本実施形態において、本部端末の表示入力手段に表示される競技者周辺の地図のイメージ図である。
【図８】本実施形態の救護支援システムおよび救護支援プログラムにより実行される処理を示すフローチャート図である。
【発明を実施するための形態】
【００１３】
以下、本発明に係る救護支援システムおよび救護支援プログラムの実施形態について図面を用いて説明する。
【００１４】
なお、以下の実施形態では、本救護支援システムをマラソン大会に適用した場合について説明するが、ゼッケンを装着した競技者が比較的広域なフィールドで競技を行う競技会であれば、どのような競技会にも適用可能である。
【００１５】
本実施形態の救護支援システム１は、図１に示すように、マラソンコースに沿って配備される現場スタッフ等の通報者が携帯する携帯端末２と、クラウドコンピューティング等により提供される救護支援サーバ３と、マラソン大会の運営本部に設置され、あるいはマラソン大会の運営者が所有する本部端末４とから構成されている。以下、各構成について詳細に説明する。
【００１６】
まず、携帯端末２について説明する。携帯端末２は、スマートフォンやタブレット型コンピュータ等のような携帯型のコンピュータから構成されており、図２に示すように、表示入力手段５と、撮像手段６と、通信手段７と、記憶手段８と、演算処理手段９とから構成されている。
【００１７】
表示入力手段５は、タッチパネル等で構成されており、後述するゼッケン番号入力画面等を表示するとともに、当該ゼッケン番号や容態情報等を入力するものである。撮像手段６は、カメラ等で構成されており、後述するバーコード等を撮像するものである。通信手段７は、無線インタフェース等から構成されており、救護支援サーバ３や本部端末４との間で、インターネットや電話回線を介して、メールや音声データ等の各種データを送受信するものである。
【００１８】
記憶手段８は、各種のデータを記憶するとともに、演算処理手段９が演算処理を行う際のワーキングエリアとして機能するものである。本実施形態において、記憶手段８は、ＲＯＭ（Read Only Memory）、ＲＡＭ（Random Access Memory）およびフラッシュメモリ等で構成されており、図２に示すように、プログラム記憶部８１と、端末ＩＤ記憶部８２とを有している。以下、各構成部についてより詳細に説明する。
【００１９】
プログラム記憶部８１には、本実施形態の携帯端末用救護支援プログラム２ａがインストールされている。そして、演算処理手段９が、携帯端末用救護支援プログラム２ａを実行することにより、携帯端末２としてのコンピュータを後述する各構成部として機能させるようになっている。なお、本実施形態では、携帯端末２のユーザが通報者としてマラソン大会に参加する場合、予め携帯端末用救護支援プログラム２ａをダウンロードしてインストールする。
【００２０】
端末ＩＤ記憶部８２は、携帯端末２を識別する端末ＩＤを記憶するものである。本実施形態では、端末ＩＤとして電話番号を記憶しているが、携帯端末２を識別しうる情報であれば、Ｅメールアドレス等のような情報でもよい。
【００２１】
演算処理手段９は、ＣＰＵ（Central Processing Unit）等で構成されており、記憶手段８にインストールされた携帯端末用救護支援プログラム２ａを実行することにより、図２に示すように、ゼッケン番号取得部９１と、容態情報取得部９２と、位置情報取得部９３と、端末ＩＤ取得部９４と、通報情報送信部９５として機能するようになっている。以下、各構成部についてより詳細に説明する。
【００２２】
ゼッケン番号取得部９１は、競技者が装着しているゼッケンからゼッケン番号を取得するものである。本実施形態では、ゼッケン番号とともにゼッケン番号に対応するバーコードがゼッケンに印刷されている。このため、ゼッケン番号取得部９１は、撮像手段６で撮像したバーコードを読み取り、対応するゼッケン番号を取得するようになっている。なお、ゼッケン番号取得部９１の構成は、この構成に限定されるものではなく、ＱＲコード（登録商標）を取得してもよいし、通報者が表示入力手段５から入力したゼッケン番号を直接取得してもよいし、上述した各種の取得方法を適宜選択できるようにしてもよい。
【００２３】
容態情報取得部９２は、競技者の容態に関する容態情報を取得するものである。本実施形態では、携帯端末用救護支援プログラム２ａが、「脱水症状」、「転倒」、「擦り傷」、「意識の有・無」等のように、複数の容態情報から任意の容態情報を選択可能な容態情報選択画面を予め用意している。このため、容態情報取得部９２は、通報者が表示入力手段５を用いて選択した容態情報を取得するようになっている。なお、容態情報取得部９２は、通報者が文字入力した任意の容態情報を取得するようにしてもよい。
【００２４】
位置情報取得部９３は、携帯端末２の位置をＧＰＳ衛星からの電波を用いて取得するＧＰＳ機能を有し、ＧＰＳ機能により携帯端末２の位置情報を取得するものである。本実施形態において、位置情報は携帯端末２の緯度・経度・高度および測位時刻からなるが、少なくとも緯度・経度を有していればよい。
【００２５】
端末ＩＤ取得部９４は、携帯端末２を識別する端末ＩＤを取得するものである。本実施形態において、端末ＩＤ取得部９４は、端末ＩＤ記憶部８２から端末ＩＤとしての電話番号を読み出し、通報情報送信部９５へ渡すようになっている。
【００２６】
通報情報送信部９５は、通報者が競技者について通報しうる各種の情報からなる通報情報を送信するものである。本実施形態において、通報情報としては、救護が必要な競技者のゼッケン番号および容態情報に加えて、携帯端末２の位置情報および端末ＩＤを含んでいる。よって、通報情報送信部９５は、ゼッケン番号取得部９１が取得したゼッケン番号、容態情報取得部９２が取得した容態情報、位置情報取得部９３が取得した位置情報および端末ＩＤ取得部９４が取得した端末ＩＤを通報情報として、通信手段７を介して救護支援サーバ３へ送信する。
【００２７】
つぎに、救護支援サーバ３について説明する。救護支援サーバ３は、サーバコンピュータ等から構成されており、図２に示すように、通信手段７と、記憶手段８と、演算処理手段９とから構成されている。なお、救護支援サーバ３の構成手段のうち、上述した携帯端末２の構成と同一もしくは相当する構成については、同一の符号を付して再度の説明を省略する。また、本実施形態において、救護支援サーバ３は、クラウドコンピューティングの形態で以下に示すサービスを提供するようになっている。
【００２８】
救護支援サーバ３の記憶手段８は、図２に示すように、プログラム記憶部８１と、通報者情報記憶部８３と、競技者情報記憶部８４と、運営者情報記憶部８５とを有している。なお、本実施形態では、通報者情報記憶部８３、競技者情報記憶部８４および運営者情報記憶部８５を救護支援サーバ３内の記憶手段８に格納しているが、この構成に限定されるものではない。例えば、別途、設置されたデータベースサーバ内に通報者情報記憶部８３、競技者情報記憶部８４および運営者情報記憶部８５を構築し、救護支援サーバ３からアクセスするようにしてもよい。
【００２９】
プログラム記憶部８１には、本実施形態の救護支援サーバ用救護支援プログラム３ａがインストールされている。そして、演算処理手段９が、救護支援サーバ用救護支援プログラム３ａを実行することにより、救護支援サーバ３としてのコンピュータを後述する各構成部として機能させるようになっている。
【００３０】
通報者情報記憶部８３は、通報者に関する各種の通報者情報を記憶するものである。本実施形態において、通報者情報としては、図３に示すように、通報者の氏名、通報者が参加している競技会名、Ｅメールアドレス等を含んでおり、これらが端末ＩＤとしての電話番号に対応付けて登録されている。
【００３１】
競技者情報記憶部８４は、競技者を特定する競技者情報を記憶するものである。本実施形態において、競技者情報としては、図４に示すように、競技者の氏名、競技者が参加してい競技会名、年齢、生年月日、電話番号、緊急連絡先等を含んでおり、これらがゼッケン番号に対応付けて登録されている。
【００３２】
運営者情報記憶部８５は、通報者からの通報を受けるべき運営者に関する各種の運営者情報を記憶するものである。本実施形態において、運営者情報としては、図５に示すように、運営者の氏名、Ｅメールアドレス等を含んでおり、これらが運営する競技会ごとに対応付けて登録されている。なお、通常、一つの競技会ごとに複数の運営者が登録されている。
【００３３】
救護支援サーバ３の演算処理手段９は、記憶手段８にインストールされた救護支援サーバ用救護支援プログラム３ａを実行することにより、図２に示すように、通報情報受信部９６と、通報者情報取得部９７と、競技者情報取得部９８と、運営者情報取得部９９と、救護情報送信部１００として機能するようになっている。以下、各構成部についてより詳細に説明する。
【００３４】
通報情報受信部９６は、通報者の携帯端末２から送信された救護が必要な競技者に関する通報情報を受信するものである。本実施形態において、通報情報受信部９６は、携帯端末２の通信手段７を介して通報情報送信部９５が送信したゼッケン番号、位置情報、容態情報、および端末ＩＤを含む通報情報を、救護支援サーバ３の通信手段７を介して受信するようになっている。
【００３５】
通報者情報取得部９７は、携帯端末２から通報情報を送信した通報者に関する通報者情報を取得するものである。本実施形態において、通報者情報取得部９７は、通報情報受信部９６が受信した端末ＩＤに基づいて通報者情報記憶部８３を参照し、当該端末ＩＤとしての電話番号とともに、当該端末ＩＤに対応する氏名、競技会名、Ｅメールアドレス等を通報者情報として取得するようになっている。
【００３６】
競技者情報取得部９８は、通報情報受信部９６が通報情報を受信した場合に、通報者によって通報された競技者の競技者情報を取得するものである。本実施形態において、競技者情報取得部９８は、通報情報受信部９６が受信したゼッケン番号に基づいて競技者情報記憶部８４を参照し、当該ゼッケン番号に対応する競技者情報（氏名、年齢、生年月日、電話番号、緊急連絡先等）を取得するようになっている。
【００３７】
また、本救護支援サーバ３により提供される救護支援サービスが、複数の競技会によって利用される場合、同一のゼッケン番号が異なる競技者に付与される可能性がある。そこで、本実施形態では、ゼッケン番号がどの競技会で付与されたものかを特定することにより競技者を識別する。具体的には、競技者情報取得部９８は、別途、通報情報受信部９６が受信した端末ＩＤに基づいて通報者情報記憶部８３を参照することにより、通報者が登録されている競技会を特定する。当該競技会は競技者が参加する競技会と同一であるため、競技者情報取得部９８は、当該競技会およびゼッケン番号に基づいて競技者情報記憶部８４を参照し、競技者情報を取得する。
【００３８】
運営者情報取得部９９は、通報者からの通報を送信すべき運営者に関する運営者情報を取得するものである。本実施形態において、運営者情報取得部９９は、通報情報受信部９６が受信した端末ＩＤに基づいて通報者情報記憶部８３を参照することにより、通報者が登録されている競技会を特定する。そして、当該競技会に対応付けられている運営者を運営者情報記憶部８５から読み出し、運営者情報（運営者の氏名、Ｅメールアドレス等）を取得する。
【００３９】
救護情報送信部１００は、本部端末４へ通報すべき競技者に関する救護情報を送信するものである。本実施形態において、救護情報としては、競技者情報、位置情報、容態情報および通報者情報等を含んでいる。よって、救護情報送信部１００は、運営者情報取得部９９が取得した運営者のＥメールアドレスに対して、競技者情報取得部９８が取得した競技者情報、通報情報受信部９６が受信した位置情報・容態情報、および通報者情報取得部９７が取得した通報者情報を救護情報として、通信手段７を介して送信する。
【００４０】
なお、通報者と運営者との間で救護情報の共有化を図るため、救護情報送信部１００は、本部端末４だけではなく、携帯端末２に対しても同様の救護情報（但し、通報者情報を除く）を送信するようにしてもよい。この場合、救護情報送信部１００は、通報者情報取得部９７が取得した通報者のＥメールアドレスに対して、上述した救護情報を通信手段７を介して送信する。
【００４１】
つぎに、本部端末４は、スマートフォンやパーソナルコンピュータ等のコンピュータから構成されており、図２に示すように、表示入力手段５と、通信手段７と、記憶手段８と、演算処理手段９とから構成されている。なお、本部端末４の構成手段のうち、上述した携帯端末２や救護支援サーバ３の構成と同一もしくは相当する構成については、同一の符号を付して再度の説明を省略する。
【００４２】
本部端末４の記憶手段８は、図２に示すように、プログラム記憶部８１を有している。このプログラム記憶部８１には、本実施形態の本部端末用救護支援プログラム４ａがインストールされている。そして、演算処理手段９が、本部端末用救護支援プログラム４ａを実行することにより、本部端末４としてのコンピュータを後述する各構成部として機能させるようになっている。
【００４３】
本部端末４の演算処理手段９は、記憶手段８にインストールされた本部端末用救護支援プログラム４ａを実行することにより、図２に示すように、救護情報受信部１０１と、救護情報表示部１０２として機能するようになっている。以下、各構成部についてより詳細に説明する。
【００４４】
救護情報受信部１０１は、救護支援サーバ３から救護情報を受信するものである。本実施形態において、救護情報受信部１０１は、救護支援サーバ３の通信手段７を介して救護情報送信部１００が送信した競技者情報、位置情報、容態情報および通報者情報を含む救護情報を、本部端末４の通信手段７を介して受信するようになっている。
【００４５】
救護情報表示部１０２は、救護が必要な競技者の救護情報を表示入力手段５に表示させるものである。具体的には、救護情報表示部１０２は、救護情報受信部１０１が受信した競技者情報、容態情報および通報者情報に基づいて、図６に示すような表示データを作成し表示入力手段５に表示させる。また、救護情報表示部１０２は、救護情報受信部１０１が受信した位置情報と、所定の地図提供サービスが提供する地図情報とをマッシュアップすることにより、図７に示すように、競技者周辺の地図と競技者の位置とを示す表示データを作成し表示入力手段５に表示させる。
【００４６】
なお、本実施形態では、表示機能および入力機能を兼ね備えた表示入力手段５を使用しているが、この構成に限定されるものではなく、表示機能を備えた表示手段および入力機能を備えた入力手段をそれぞれ別個に有していてもよい。また、本発明において、表示手段とは、表示入力手段５のように各種データを表示可能な全ての手段を含む概念である。
【００４７】
つぎに、本実施形態の各救護支援プログラム２ａ，３ａ，４ａによって実行される救護支援システム１の作用について、図８を用いて説明する。
【００４８】
まず、通報者が、救護が必要な競技者を発見した場合、携帯端末２上で携帯端末用救護支援プログラム２ａを起動し、当該競技者が装着しているゼッケンに印刷されたバーコードを撮像手段６で撮像する。これにより、ゼッケン番号取得部９１が、当該バーコードに対応するゼッケン番号を取得する（ステップＳ１）。
【００４９】
また、通報者は、競技者から話を聞いたり様子を観察することにより競技者の容態を把握し、当該容態に対応する容態情報を容態情報選択画面において選択する。これにより、容態情報取得部９２が、競技者の容態に関する容態情報を取得する（ステップＳ２）。なお、この容態情報の入力は必須ではなく、オプション的な入力項目である。
【００５０】
つぎに、通報者が携帯端末２の表示入力手段５に表示された送信ボタンを選択すると、位置情報取得部９３が、携帯端末２の位置情報を取得するとともに（ステップＳ３）、端末ＩＤ取得部９４が、携帯端末２の端末ＩＤを取得する（ステップＳ４）。そして、通報情報送信部９５が、ゼッケン番号、容態情報、位置情報および端末ＩＤを通報情報として救護支援サーバ３へ送信する（ステップＳ５）。
【００５１】
救護支援サーバ３では、通報情報受信部９６が携帯端末２から通報情報を受信すると（ステップＳ６）、通報者情報取得部９７が、端末ＩＤとしての電話番号、および当該端末ＩＤに対応する氏名、競技会名、Ｅメールアドレス等の通報者情報を通報者情報記憶部８３から取得する（ステップＳ７）。これにより、通報者は、何ら入力操作等することなく、自身に関する各種の情報を救護支援サーバ３に把握させることが可能となる。
【００５２】
つづいて、競技者情報取得部９８が、通報情報に含まれるゼッケン番号に基づいて、競技者情報（氏名、年齢、生年月日、電話番号、緊急連絡先等）を競技者情報記憶部８４から取得する（ステップＳ８）。これにより、通報者は、ゼッケン番号を撮像あるいは入力するだけで、競技者に関する各種の情報を救護支援サーバ３に把握させることが可能となる。
【００５３】
また、本実施形態では、競技者情報取得部９８が、通報情報に含まれる端末ＩＤに対応する通報者が、どの競技会に登録されているかを特定し、当該競技会およびゼッケン番号に対応する競技者情報を取得するようにしてもよい。これにより、救護支援システム１が複数の競技会を同時に救護支援し、同一のゼッケン番号が、異なる競技会の異なる競技者に付与されている場合であっても、確実に競技者が特定され、人違いが防止される。
【００５４】
つづいて、運営者情報取得部９９が、通報情報に含まれる端末ＩＤに対応する通報者が、どの競技会に登録されているかを特定し、当該競技会の運営者に関する運営者情報（運営者の氏名、Ｅメールアドレス等）を取得する（ステップＳ９）。これにより、救護支援サーバ３は、救護情報を送信すべき連絡先を把握する。
【００５５】
つぎに、救護情報送信部１００が、運営者情報に含まれる運営者のＥメールアドレスを宛先とし、競技者情報、位置情報、容態情報および通報者情報を救護情報として送信する（ステップＳ１０）。
【００５６】
本部端末４では、救護情報受信部１０１が救護支援サーバ３から救護情報を受信すると（ステップＳ１１）、救護情報表示部１０２が、救護情報に含まれる競技者情報、容態情報および通報者情報に基づいて、図６に示すような表示データを表示入力手段５に表示する（ステップＳ１２）。また、救護情報表示部１０２は、別途、救護情報に含まれる位置情報に基づき、図７に示すように、競技者周辺の地図と競技者の位置とを示す表示データを表示入力手段５に表示する（ステップＳ１２）。
【００５７】
これにより、運営本部では、救護が必要な競技者の氏名や容態に加えて、当該競技者の現在位置を迅速かつ正確に把握することが可能となる。このため、運営本部は、医療スタッフに対して、競技者の現在位置を的確に指示でき、例えば医療スタッフが競技者の居場所を探すのに手間取って到着が大幅に遅れてしまうことがない。特に、競技者の容態が一刻を争うような状況の場合、医療スタッフが競技者のもとへ迷わずに到着することの意義は極めて大きい。
【００５８】
また、本実施形態では、競技者情報として緊急連絡先を含んでいるため、運営本部は、別途、当該競技者の家族等に対して、競技者の容態を連絡することができる。さらに、本実施形態では、救護情報として通報者情報を含んでいるため、通報者に直接連絡し、より詳細な状況を確認することもできる。
【００５９】
なお、図８の点線で示すように、救護支援サーバ３の救護情報送信部１００によって、通報者情報を除く救護情報を携帯端末２へ返送するとともに、携帯端末２において、本部端末４と同様、救護情報を表示させるようにしてもよい。これにより、通報者と運営者との間で救護情報が共有化され、情報の錯綜が防止される。
【００６０】
以上のような本実施形態によれば、以下のような効果を奏することができる。
１．救護が必要な競技者の情報や位置を迅速かつ正確に把握することができ、当該競技者のもとへ直ちに医療スタッフを派遣することができる。
２．複数の競技会を同時に開催され、同一のゼッケン番号が異なる競技者に付与されていても、確実に競技者を特定し、人違いを防止することができる。
３．通報者は、単にゼッケン番号を撮像または入力するだけでよいため、携帯端末２の操作に疎い女性やお年寄りでも、気軽に通報を担当するスタッフとして参加することができる。
【００６１】
なお、本発明に係る救護支援システム１および各救護支援プログラム２ａ，３ａ，４ａは、前述した実施形態に限定されるものではなく、適宜変更することができる。
【００６２】
例えば、上述した本実施形態では、救護情報送信部１００が、各種の救護情報をＥメールに記載して本部端末４にプッシュ配信しているが、この構成に限定されるものではない。また、通報者の携帯端末２において、予め各種の容態に応じて通報者でも行える応急処置を記憶した応急処置記憶部（図示せず）を備えるとともに、通報者が通報情報を送信した後、通報者が選択した容態情報に対応する応急処置を応急処置記憶部から読み出し、表示入力手段５に表示させる応急処置表示部（図示せず）を備えるようにしてもよい。これにより、応急処置に疎い通報者であっても、競技者に応急処置を施すことが可能となる。
【００６３】
また、上述した本実施形態では、救護情報として通報者情報を含んでいる。このため、救護情報を受信した旨および医療スタッフの到着予定時刻等の受信報告を通報者の携帯端末２へ送信する受信報告送信部（図示せず）を本部端末４に備えるとともに、当該受信報告を受信して表示入力手段５に表示させる受信報告表示部（図示せず）を携帯端末２に備えるようにしてもよい。これにより、通報者は、救護情報が間違いなく運営本部へ送信され、医療スタッフがこちらに向かっていることを知り、一安心することができる。
【００６４】
さらに、通報者情報、競技者情報および運営者情報としては、上述した情報に限られるものではなく、必要に応じて適宜、各種の情報を含めるようにしてもよい。
【符号の説明】
【００６５】
１  救護支援システム
２  携帯端末
２ａ  携帯端末用救護支援プログラム
３  救護支援サーバ
３ａ  救護支援サーバ用救護支援プログラム
４  本部端末
４ａ  本部端末用救護支援プログラム
５  表示入力手段
６  撮像手段
７  通信手段
８  記憶手段
９  演算処理手段
８１  プログラム記憶部
８２  端末ＩＤ記憶部
８３  通報者情報記憶部
８４  競技者情報記憶部
８５  運営者情報記憶部
９１  ゼッケン番号取得部
９２  容態情報取得部
９３  位置情報取得部
９４  端末ＩＤ取得部
９５  通報情報送信部
９６  通報情報受信部
９７  通報者情報取得部
９８  競技者情報取得部
９９  運営者情報取得部
１００  救護情報送信部
１０１  救護情報受信部
１０２  救護情報表示部
【図２】
2014018490.tif 000003
【図３】
2014018490.tif 000004
【図４】
2014018490.tif 000005
【図５】
2014018490.tif 000006
【図６】
2014018490.tif 000007
【図８】
2014018490.tif 000008
【図１】
2014018490.tif 000009
【図７】
2014018490.tif 000010